(57)【要約】  第１の給電点と接続される複数の第１のアンテナ素子と、第２の給電点と接続される複数の第２のアンテナ素子を放射状に配置し、第１のスイッチ装置によって選択した一つの第１のアンテナ素子を第１の給電点に接続し、第２のスイッチ装置によって選択した一つの第２のアンテナ素子を第２の給電点に接続するようにしたアンテナ装置である。図２
2018123283.tif 000002
【特許請求の範囲】
【請求項１】
第１の給電点と接続される複数の第１のアンテナ素子と、第２の給電点と接続される複数の第２のアンテナ素子を放射状に配置し、
第１のスイッチ装置によって選択した一つの前記第１のアンテナ素子を前記第１の給電点に接続し、第２のスイッチ装置によって選択した一つの前記第２のアンテナ素子を前記第２の給電点に接続するようにしたアンテナ装置。
【請求項２】
前記第１のアンテナ素子と前記第２のアンテナ素子が実質的に等しい長さに設定された請求項１に記載のアンテナ装置。
【請求項３】
前記放射状に配置された前記第１のアンテナ素子または前記第２のアンテナ素子のそれぞれと接近して無給電素子が配置された請求項１に記載のアンテナ装置。
【請求項４】
前記第１のアンテナ素子、前記第２のアンテナ素子及び前記無給電素子がプリント回路基板上の導電体のパターンとして形成された請求項３に記載のアンテナ装置。
【請求項５】
前記第１のアンテナ素子と前記第２のアンテナ素子が実質的に等しい長さに設定され、前記無給電素子が前記第１及び第２のアンテナ素子と異なる長さに設定された請求項３に記載のアンテナ装置。
【請求項６】
アンテナ装置によって高周波信号を受信してオーディオ信号及び／又はビデオ信号を出力する無線装置であって、
前記アンテナ装置は、
第１の給電点と接続される複数の第１のアンテナ素子と、第２の給電点と接続される複数の第２のアンテナ素子を放射状に配置し、
第１のスイッチ装置によって選択した一つの前記第１のアンテナ素子を前記第１の給電点に接続し、第２のスイッチ装置によって選択した一つの前記第２のアンテナ素子を前記第２の給電点に接続するようにした無線装置。
【請求項７】
第１の給電点と接続される２つの第１のアンテナ素子と、第２の給電点と接続される２つの第２のアンテナ素子をそれぞれ放射状に配置し、
第１のスイッチ装置によって選択した前記２つの第１のアンテナ素子のうちの一方のアンテナ素子を前記第１の給電点に接続した状態から、前記第１のスイッチ装置によって前記２つの第１のアンテナ素子のうちの他方を給電点の一方に接続した状態に切り替えるとともに、第２のスイッチ装置によって選択した前記２つの第２のアンテナ素子のうちの一方のアンテナ素子を前記第２の給電点に接続した状態から、前記第２のスイッチ装置によって前記２つの第２のアンテナ素子のうちの他方を給電点の他方に接続した状態に切り替える、アンテナ装置。
【請求項８】
前記第１および第２のスイッチによるアンテナ素子の切替は、受信の指向性を変化させるようになされる、請求項７に記載のアンテナ装置。
【請求項９】
前記第１のアンテナ素子および前記第２のアンテナ素子はプリント回路基板上の導電体のパターンとして形成される、請求項８に記載のアンテナ装置。
【発明の詳細な説明】
【技術分野】
【０００１】
本技術は、例えば家庭内の無線ネットワークを構築するのに適用されるアンテナ装置及び無線装置に関する。
【背景技術】
【０００２】
最近では、家庭内において無線ネットワークを構築し、ＰＣ（パーソナルコンピュータ）、スマートフォン、テレビジョン受像機、オーディオ再生システム等の機器を無線ネットワークで接続可能としたシステムが実用化されている。このような無線伝送における課題に「マルチパス問題」がある。マルチパス環境では、直接到達波に対して反射波が存在するため、受信位置によって、アンテナで直接到達波と反射波の位相が反転して受信されることにより受信レベルが大幅に低下する現象が発生する。受信端末が小型の場合には、端末の向きを変更して最良の受信位置に設定することができる。しかしながら、テレビジョン受像機、オーディオ再生システムなどの大型の機器の場合には、簡単に向きを変えることが難しく、また、視聴位置、聴取位置の関係からも向きを変えることができない。【０００３】
こうした課題に対し、従来技術としては「ダイバーシチアンテナ」や「セクタアンテナ」などがあり一般的にも良く知られている。これらは複数のアンテナを相関が低くなるように離して配置し、その中からもっとも受信レベルの高いアンテナを選択する技術である。この技術では受信位置ごとに複数のアンテナ選択肢があるため、マルチパス問題は軽減されることになる。しかしながら、これらの従来技術では、第一に、アンテナが複数必要であり、第二にアンテナ間は低相関となるように離して配置する必要があるため、アンテナ実装に必要なスペースが大きくなるという問題点がある。【０００４】
特許文献１には、フィルム状コイル素子をプリント基板上に放射状に配置して形成されたアンテナ装置と、送受信機の間をスイッチ３によって切り替える構成が記載されている。特許文献１に記載の放射状の素子Ｃ１〜Ｃ８は、１本ずつがアンテナであり、角度の違う複数のアンテナの出力を合成することによって指向性を可変するものである。スイッチ３でアンテナ（モジュール素子）の出力ＲＦ信号のみを切り替えるようにしている。
【先行技術文献】
【特許文献】
【０００５】
【特許文献１】特開平８−６５０３２号公報
【発明の概要】
【発明が解決しようとする課題】
【０００６】
特許文献１に記載のものは、給電ポートしか描かれていないが、アンテナは必ず給電面積と同一面積相当のグランド面積を必要とするので、アンテナサイズが大きくなる問題がある。また、特許文献１において、複数のポートに給電するために、給電数に応じた分の分配合成器が必要である。したがって、送信時には、分配損失が生じ、受信時には、合成損失が必ず生じるために伝送損失が大きい問題がある。【０００７】
したがって、本技術の目的は、これらの問題が生じないアンテナ装置及び無線装置を提供することにある。
【課題を解決するための手段】
【０００８】
本技術は、第１の給電点と接続される複数の第１のアンテナ素子と、第２の給電点と接続される複数の第２のアンテナ素子を放射状に配置し、
第１のスイッチ装置によって選択した一つの第１のアンテナ素子を第１の給電点に接続し、第２のスイッチ装置によって選択した一つの第２のアンテナ素子を第２の給電点に接続するようにしたアンテナ装置である。
また、本技術は、アンテナ装置によって高周波信号を受信してオーディオ信号及び／又はビデオ信号を出力する無線装置であって、
アンテナ装置は、
第１の給電点と接続される複数の第１のアンテナ素子と、第２の給電点と接続される複数の第２のアンテナ素子を放射状に配置し、
第１のスイッチ装置によって選択した一つの第１のアンテナ素子を第１の給電点に接続し、第２のスイッチ装置によって選択した一つの第２のアンテナ素子を第２の給電点に接続するようにした無線装置である。【０００９】
さらに、本技術は、第１の給電点と接続される２つの第１のアンテナ素子と、第２の給電点と接続される２つの第２のアンテナ素子をそれぞれ放射状に配置し、
第１のスイッチ装置によって選択した２つの第１のアンテナ素子のうちの一方のアンテナ素子を第１の給電点に接続した状態から、第１のスイッチ装置によって２つの第１のアンテナ素子のうちの他方を給電点の一方に接続した状態に切り替えるとともに、第２のスイッチ装置によって選択した２つの第２のアンテナ素子のうちの一方のアンテナ素子を第２の給電点に接続した状態から、第２のスイッチ装置によって２つの第２のアンテナ素子のうちの他方を給電点の他方に接続した状態に切り替える、アンテナ装置である。
【発明の効果】
【００１０】
少なくとも一つの実施形態によれば、本技術は、アンテナ実装に必要なスペースが小さくてよく、また、伝送損失がより少なくできる。なお、ここに記載された効果は必ずしも限定されるものではなく、本技術中に記載されたいずれかの効果又はそれらと異質な効果であっても良い。
【図面の簡単な説明】
【００１１】
【図１】図１は本技術による無線装置の一実施の形態のブロック図である。
【図２】図２は本技術によるアンテナ装置の一実施の形態の略線図である。
【図３】図３Ａ、図３Ｂ及び図３Ｃはスイッチ装置の一例のブロック図、接続図及び動作説明のための表である。
【図４】図４Ａ、図４Ｂ、図４Ｃ及び図４Ｄはアンテナ装置の一実施の形態アンテナ放射指向性の切替の説明に用いる略線図である。
【図５】図５は本技術による無線装置の一実施の形態の動作説明に用いるフローチャートである。
【図６】図６Ａ及び図６Ｂは本技術によるアンテナ装置の変形例の説明に用いる略線図である。
【図７】図７は本技術によるアンテナ装置の変形例の説明に用いる略線図である。
【図８】図８は本技術によるアンテナ装置の変形例の説明に用いる略線図である。
【発明を実施するための形態】
【００１２】
以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。
なお、本技術の説明は、下記の順序にしたがってなされる。
＜１．一実施の形態＞
＜２．変形例＞
【００１３】
＜１．一実施の形態＞
「無線装置の全体の構成」
図１は、本技術の一実施の形態の構成を示す。例えば家屋５０内に無線ＬＡＮ(Wireless Local Area Network)が構築される。親機としての無線装置３０と子機としての無線装置２０が無線通信を行う。無線装置２０は、無線ＬＡＮ対応のオーディオ再生装置、スピーカ装置、無線ＬＡＮ対応のテレビジョン装置等である。無線装置２０は、本技術による可変指向性のアンテナ装置１０を備えている。アンテナ装置１０は、放射指向性６ａ、６ｂ、６ｃを備えている。
【００１４】
家屋５０内において、無線装置２０及び無線装置３０間で無線通信を行う場合、無線伝送信号は、直接到達波の信号４０ｂ、４０ｃ、４０ｄ以外に、天井や壁で反射する反射波の信号４０ａ、４０ｅもある。このようなマルチパス環境では無線装置２０に設けられているアンテナ装置１０では、受信レベルが大きく変動する。
【００１５】
例えば無線伝送信号の４０ａ及び４０ｂは放射指向性６ｃによって受信される。しかし、無線伝送信号４０ａと無線伝送信号４０ｂの位相が反転して受信される伝送距離の場合には、アンテナ放射指向性６ｃでは受信レベルが大幅に低下してしまう。アンテナ放射特性が一つしか選択できないような無線装置では、従来、受信側の無線装置の設置場所を動かすことでアンテナ放射指向性６ｃをずらすことができ、受信状況を改善することが可能である。しかしながら、このような方法は、無線装置をどの程度移動させればよいかが分からず、改善効果は安定せず、場合によっては受信状況を悪化させてしまう可能性もある。
【００１６】
本技術による無線装置２０のアンテナ装置１０では、給電点切替アンテナの構成とされる。アンテナ装置１０は、プリント回路基板９上に実装される。後述するように、アンテナ装置１０は、スイッチ４，５によってアンテナの給電点３に対する接続を切り替えるごとにアンテナ放射指向性が切り替わるアンテナである。図１では、アンテナ放射指向性６ａ、６ｂ、６ｃが示されている。
【００１７】
第１の給電点（＋側、ＲＦ信号側）と接続される複数の第１のアンテナ素子１ａ、１ｂと、第２の給電点（−側、グランド側））と接続される複数の第２のアンテナ素子１ｃ、１ｄを放射状に配置し、さらに、無給電素子２ａ、２ｂ、２ｃが設けられている。スイッチ４は、給電点３の＋側をアンテナ素子１ａ及び１ｂの一方と接続し、スイッチ５は、給電点３の−側をアンテナ素子１ｃ及び１ｄの一方と接続する。
【００１８】
例えばアンテナ素子１ａ及び１ｄがスイッチ４及び５により給電点３に接続した場合は、二つのアンテナ素子１ａ及び１ｄが１８０度の角間隔で対向するダイポールアンテナが構成される。この場合には、アンテナ放射指向性６ｂが得られる。さらに、アンテナ素子１ａ及び１ｃを選択した場合には、アンテナ放射指向性６ｂが得られ、アンテナ素子１ａ及び１ｃを選択した場合には、アンテナ放射指向性６ａが得られる。一つの第１の素子と一つの第２の素子を選択するようにしたダイポールアンテナである。
【００１９】
これらアンテナ放射指向性のいずれかによって受信された信号はプリント回路基板９に形成されている伝送路を介してＲＦ信号２３としてＲＦ信号処理回路としてのＲＦモジュール２１に供給される。ＲＦモジュール２１では、アンテナ装置１０における受信レベルが数値化され、ステータス信号２４として制御装置例えばＤＳＰ(Digital Signal Processor)２２に供給される。図示しないが、ＲＦモジュール２１からは映像信号、オーディオ信号、データ信号などの情報を含む信号が出力され、それぞれの信号に応じた再生装置がＲＦモジュール２１に対して接続されている。
【００２０】
ＤＳＰ２２において、複数のアンテナ放射指向性６ａ、６ｂ，６ｃの受信レベルを比較し、受信レベルが最大のアンテナ放射指向性を選択するための制御信号２５が形成される。制御信号２５がＤＳＰ２２からアンテナ装置１０に対して供給される。制御信号２５によって、アンテナ装置１０のスイッチ４、５が制御され、受信レベルが最大となるアンテナ放射指向性が選択される。
【００２１】
このようにアンテナ装置１０のアンテナ放射指向性を制御することによって、無線装置２０は、家屋環境や家屋内の環境変動状況に応じて自動的に最適なアンテナを選択し、ベストエフォートの通信を実現することができる。
【００２２】
「アンテナ装置」
アンテナ装置１０について図２を参照してより詳細に説明する。本技術の一実施の形態におけるアンテナ装置１０は、アンテナ素子１ａ、１ｂ、１ｃ、１ｄと、無給電素子２ａ、２ｂ、２ｃと、給電点３と、スイッチ４、５によって構成される。これらの構成部品がプリント回路基板９上に実装される。アンテナ素子１ａ〜１ｄは、半円を６０度の等角間隔で分割するプリント回路基板９上の位置に放射状に形成されている。無給電素子２ａ〜２ｃは、隣接するアンテナ素子によって区画される領域にＶ字状のパターンとして形成されている。
【００２３】
スイッチ４は、給電点３の＋側（ＲＦ信号が流れる側）とアンテナ素子１ａ及び１ｂの一方の給電点を接続し、スイッチ５は、給電点３の−側（グランド側）とアンテナ素子１ｃ及び１ｄの一方の給電点を接続する。アンテナ素子１ａ〜１ｄのそれぞれの長さが等しいものとされている。アンテナ素子１ａ〜１ｄの長さが例えば無線ＬＡＮの２．４ＧHz帯の周波数の信号を受信するように設定されている。
【００２４】
スイッチ４及び５によって二つのアンテナ素子と給電点３が接続された場合には、半波長ダイポールアンテナが構成される。二つのアンテナ素子の合計の長さがλ／２（λ：共振周波数の１波長）とされる。アンテナ素子１ａ及び１ｄが選択された場合、アンテナ放射指向性６ｂが得られる。アンテナ素子１ａ及び１ｃが選択される場合にはアンテナ放射指向性６ａが得られ、アンテナ素子１ｂ及び１ｄが選択される場合にはアンテナ放射指向性６ｃが得られる。
【００２５】
ＩＣ構成の高周波用スイッチ４の一例を図３Ａに示す。ＲＦ信号の端子が端子ａ及びｂの一方と接続される。スイッチ４に設けられているデコーダ４ａに対して電源電圧ＶＤＤ及び制御電圧ＶＣが供給される。デコーダ４ａが制御電圧ＶＣに応じて端子ａまたはｂの一方を選択するようにスイッチを制御する。
【００２６】
スイッチ４は、図３Ｂに示すような等価回路で表すことができる。ＲＦ信号端子が二つのスイッチＦ１を介して端子ａ（ＲＦ１信号）に接続され、二つのスイッチＦ１の間がスイッチＦ３を介して接地されている。また、ＲＦ信号端子が二つのスイッチＦ２を介して端子ｂ（ＲＦ２信号）に接続され、二つのスイッチＦ２の間がスイッチＦ４を介して接地されている。
【００２７】
スイッチ４の動作は、図３Ｃの表に示すものとなる。制御電圧ＶＣがＬ（ローレベル）の場合には、（Ｆ１：ＯＮ、Ｆ２：ＯＦＦ、Ｆ３：ＯＦＦ、Ｆ４：ＯＮ）となり、アクティブパスが（ＲＦ−ＲＦ１）となる（状態１）。制御電圧ＶＣがＨ（ハイレベル）の場合には、（Ｆ１：ＯＦＦ、Ｆ２：ＯＮ、Ｆ３：ＯＮ、Ｆ４：ＯＦＦ）となり、アクティブパスが（ＲＦ−ＲＦ２）となる（状態２）。スイッチ５としてもスイッチ４と同様の構成を使用できる。
【００２８】
上述した本技術の一実施の形態の動作と作用について図４を参照して説明する。ダイポールアンテナは、高周波信号が流れるアンテナ素子とグランドとなるアンテナ素子によって成り立つ。図４Ａに示すように、スイッチ４が端子ａを選択し、スイッチ５が端子ｃを選択する場合、アンテナ素子１ａ（斜線で示す）及びアンテナ素子１ｃ（斜線で示す）によって１２０度の対向角を有するダイポールアンテナが構成される。このダイポールアンテナの中心線に沿ったアンテナ放射指向性６ａが得られる。
【００２９】
図４Ｂに示すように、スイッチ４が端子ａを選択し、スイッチ５が端子ｄを選択する場合、アンテナ素子１ａ（斜線で示す）及びアンテナ素子１ｄ（斜線で示す）によって１８０度の対向角を有するダイポールアンテナが構成される。このダイポールアンテナの中心線に沿ったアンテナ放射指向性６ｂが得られる。
【００３０】
図４Ｃに示すように、スイッチ４が端子ｂを選択し、スイッチ５が端子ｄを選択する場合、アンテナ素子１ｂ（斜線で示す）及びアンテナ素子１ｄ（斜線で示す）によって１２０度の対向角を有するダイポールアンテナが構成される。このダイポールアンテナの中心線に沿ったアンテナ放射指向性６ｃが得られる。さらに、図４Ｄに示すように、スイッチ４が端子ｂを選択し、スイッチ５が端子ｃを選択して、アンテナ素子１ｂ（斜線で示す）及びアンテナ素子１ｃ（斜線で示す）によって６０度の対向角を有するダイポールアンテナを構成するようにしてもよい。この場合のアンテナ放射指向性６ｄは、幅が狭まるが、より前面に押し出されるようなものとなる。
【００３１】
アンテナ素子１ａ及び１ｃが選択された場合（図４Ａ）、その間にある無給電素子２ａ及び２ｂはある特定の周波数で電磁誘導によって励起発振しアンテナとして高周波信号を放射する。そのアンテナ放射指向性はアンテナ放射指向性６ａと同様の方向である。アンテナ素子１ａ及び１ｃのそれぞれの素子長で共振周波数が決定される。無給電素子２ａ、２ｂの長さをアンテナ素子１ａ、１ｃと異なる長さにすることによって、広帯域に対応するアンテナを実現することができる。無給電素子２ａ、２ｂ及び２ｃのＶ字形状を１８０度の対向位置まで開いた時の長さが無給電素子２ａ、２ｂ及び２ｃの長さとなる。無給電素子２ａ、２ｂ及び２ｃの長さは、互いに等しいものとされている。
【００３２】
同様にアンテナ素子１ａ及び１ｄが選択された場合（図４Ｂ）、その間にある無給電素子２ａ、２ｂ及び２ｃはある特定の周波数で電磁誘導によって励起発振しアンテナとして高周波信号を放射する。そのアンテナ放射指向性はアンテナ放射指向性６ｂと同様の方向である。同様にアンテナ素子１ｂ及び１ｄが選択された場合（図４Ｃ）、その間にある無給電素子２ｂ及び２ｃはある特定の周波数で電磁誘導によって励起発振しアンテナとして高周波信号を放射する。そのアンテナ放射指向性はアンテナ放射指向性６ｃと同様の方向である。アンテナ素子１ａ〜１ｄのそれぞれの素子長に対して無給電素子２ａ〜２ｃの素子長を異なる長さとすることによって、受信帯域を広帯域化したり、マルチバンド化したりすることができる。
【００３３】
本技術の一実施の形態において、アンテナ放射指向性を制御するために、ＤＳＰ２２によってなされる制御動作を図５のフローチャートを参照して説明する。受信した電波の強度を表す指標として例えば受信強度（図５において、ＲＳＳＩ:Receiver Signal Strength Indicatorと表記する)を使用する。他にも通信品質を重視する指標としてＳＮＲ(Signal to Noise Ratio)を使用してもよい。受信アンテナの切り替えは、スイッチ４及び５を制御することによってなされる。
【００３４】
ステップＳＴ１：電源が起動され、処理が開始する。
ステップＳＴ２：アンテナをデフォルトアンテナ（図５において、ＤＥＦ  ＡＮＴと表記する）に設定する。例えばアンテナ放射指向性６ｂを生じるアンテナ素子１ａ及び１ｄが選択される。放射指向性６ａを生じるアンテナ素子１ａ及び１ｃからなるアンテナを左アンテナ（図５において、ＬＥＦＴ  ＡＮＴと表記する）といい、放射指向性６ｃを生じるアンテナ素子１ｂ及び１ｄからなるアンテナを右アンテナ（図５において、ＲＩＧＨＴ  ＡＮＴと表記する）という。
【００３５】
ステップＳＴ３：未接続
ステップＳＴ４：接続
ステップＳＴ５：デフォルトアンテナ、左アンテナ及び右アンテナのそれぞれの受信強度を確認する。例えば通信パケットの受信強度の平均値が確認される。
ステップＳＴ６：ステップＳＴ５で確認された受信強度の最大値のアンテナを最良アンテナ（図５において、ＢＥＳＴ  ＡＮＴと表記する）とし、最良受信強度（図５において、ＢＥＳＴ  ＲＳＳＩと表記する）を設定する。
【００３６】
ステップＳＴ７：最良受信強度が、アラームステータスかどうかが判定される。アラームステータスとは、受信強度が弱くて良好な受信結果が得られないことを表している。
ステップＳＴ８：ステップＳＴ７において、アラームステータスでないと判定されると、最良アンテナの最良受信強度を所定時間例えば１秒ごとに更新する。そして、ステップＳＴ７に処理が戻る。
【００３７】
ステップＳＴ９：ステップＳＴ７において、最良受信強度がアラームステータスと判定されると、アラームステータスが複数回数例えば１０回連続するかどうかが判定される。アラームステータスが１０回連続しないと判定されると、処理がステップＳＴ７（受信強度がアラームステータスであるかどうかの判定）に戻る。
ステップＳＴ１０：ステップＳＴ９において、アラームステータスが１０回連続したと判定されると、デフォルトアンテナ、左アンテナ及び右アンテナのそれぞれの受信強度が確認される。例えば通信パケットの受信強度の平均値が確認される。
【００３８】
ステップＳＴ１１：ステップＳＴ１０において確認された受信強度の中で、最大値の受信強度のアンテナを最良アンテナとし、その受信強度を最良受信強度に設定する。
ステップＳＴ１２：ステップＳＴ１１において設定された最良受信強度がアラームステータスであるかどうかが判定される。アラームステータスでないと判定されると、処理がステップＳＴ８（最良アンテナの最良受信強度を１秒ごとに更新）に移る。
ステップＳＴ１３：ステップＳＴ１２において、アラームステータスであると判定されると、最良アンテナを固定し、受信強度の確認を停止する。もし、受信強度が圏外を示す場合には、処理が＊Ａで示すように、ステップＳＴ２（アンテナをデフォルトアンテナに設定）に戻り、最初からアンテナ設定処理を行う。
【００３９】
以上のＤＳＰ２２の制御動作によって、最良の指向性を呈する最良のアンテナを自動的に設定することができる。したがって、本技術の一実施の形態による無線装置２０を人手によって向きを変更する必要がなくなる。
【００４０】
上述した本技術によって「マルチパス問題」をアンテナ切替で解決する場合、従来のような複数アンテナの設置面積を必要とせず、アンテナ自体が変形しながら放射するため、省スペースで放射指向性を切り替えることができるアンテナを提供できる。また、給電点切替方式に対応したＶ字型の無給電素子をアンテナ素子間に配置したことで複数の周波数を同様な放射指向性角度で切替えることが可能である。
【００４１】
＜２．変形例＞
本技術による可変指向性アンテナの変形例について説明する。アンテナの小型化の手法について図６を参照して説明する。図６Ａに示すように、アンテナ素子１ｃ及び１ｄに相当するアンテナ素子７ｃ及び７ｄをメアンダ型とすることによって素子長を短くすることができる。図示しないアンテナ素子１ａ及び１ｂについても同様である。無給電素子をメアンダ型として素子長を短くしてもよい。
【００４２】
また、無給電素子２ｃに相当する無給電素子８ｃは、チップインダクタ１１及び１２が折り曲げられて得られる素子の中間位置に設けられ、素子長が短くされている。図示しない無給電素子２ａ及び２ｂについても同様である。アンテナ素子にチップインダクタを設けて素子長を短くしてもよい。
【００４３】
図６Ｂに示すように、アンテナ素子１ａ〜１ｄのいずれかに相当するアンテナ素子１３をプリント回路基板上に形成する場合に、スパイラル形状とし、基板の一面と基板の他面に交互に導電パターンを形成する。両面にパターンを形成することによって素子長を短くすることができる。無給電素子についても同様である。
【００４４】
図２に示すアンテナ装置１０では半円を分割するように、アンテナ素子１ａ〜１ｄが形成されているが、図７に示すように、円を分割するように、アンテナ素子１４ａ〜１４ｈを形成してもよい。すなわち、円を４５度の等角間隔で分割する位置に放射状にアンテナ素子１４ａ〜１４ｈが形成されている。無給電素子１５ａ〜１５ｈは、隣接するアンテナ素子によって区画される領域にＶ字状のパターンとして形成されている。図７に示すアンテナ装置は、３６０度の範囲で切り替えることができ、また、狭い角度（４５度）で配置することによってアンテナ放射指向性を高い精度で切り替えることができる。
【００４５】
図８に示すように、立体的例えば破線で示す円Ｃを直径のまわりに１回転することで形成される球において、円Ｃを９０度の角間隔で分割する位置にアンテナ素子１６ａ，１６ｂ，１６ｃ及び１６ｄを配置し、円Ｃを直径を軸に９０度回転させた位置の円Ｃ'を９０度の角間隔で分割する位置に、アンテナ素子１６ｅ，１６ｆ，１６ｇ及び１６ｈを配置する。図８に示すアンテナ装置は、平面の角度の切り替えだけではなく、仰角のような立体的な角度の切り替えも可能となる。
【００４６】
以上、本技術の一実施の形態について具体的に説明したが、本技術は、上述の一実施の形態に限定されるものではなく、本技術の技術的思想に基づく各種の変形が可能である。上述の実施形態において挙げた構成、方法、工程、形状、材料及び数値などはあくまでも例に過ぎず、必要に応じてこれと異なる構成、方法、工程、形状、材料及び数値などを用いてもよい。
【００４７】
なお、本技術は、以下のような構成も取ることができる。
（１）
第１の給電点と接続される複数の第１のアンテナ素子と、第２の給電点と接続される複数の第２のアンテナ素子を放射状に配置し、
第１のスイッチ装置によって選択した一つの前記第１のアンテナ素子を前記第１の給電点に接続し、第２のスイッチ装置によって選択した一つの前記第２のアンテナ素子を前記第２の給電点に接続するようにしたアンテナ装置。
（２）
前記第１のアンテナ素子と前記第２のアンテナ素子が実質的に等しい長さに設定された（１）に記載のアンテナ装置。
（３）
前記放射状に配置された前記第１のアンテナ素子または前記第２のアンテナ素子のそれぞれと接近して無給電素子が配置された（１）又は（２）に記載のアンテナ装置。
（４）
前記第１のアンテナ素子、前記第２のアンテナ素子及び前記無給電素子がプリント回路基板上の導電体のパターンとして形成された（３）に記載のアンテナ装置。
（５）
前記第１のアンテナ素子と前記第２のアンテナ素子が実質的に等しい長さに設定され、前記無給電素子が前記第１及び第２のアンテナ素子と異なる長さに設定された（１）から（４）までのいずれかに記載のアンテナ装置。
（６）
アンテナ装置によって高周波信号を受信してオーディオ信号及び／又はビデオ信号を出力する無線装置であって、
前記アンテナ装置は、
第１の給電点と接続される複数の第１のアンテナ素子と、第２の給電点と接続される複数の第２のアンテナ素子を放射状に配置し、
第１のスイッチ装置によって選択した一つの前記第１のアンテナ素子を前記第１の給電点に接続し、第２のスイッチ装置によって選択した一つの前記第２のアンテナ素子を前記第２の給電点に接続するようにした無線装置。
（７）
第１の給電点と接続される２つの第１のアンテナ素子と、第２の給電点と接続される２つの第２のアンテナ素子をそれぞれ放射状に配置し、
第１のスイッチ装置によって選択した前記２つの第１のアンテナ素子のうちの一方のアンテナ素子を前記第１の給電点に接続した状態から、前記第１のスイッチ装置によって前記２つの第１のアンテナ素子のうちの他方を給電点の一方に接続した状態に切り替えるとともに、第２のスイッチ装置によって選択した前記２つの第２のアンテナ素子のうちの一方のアンテナ素子を前記第２の給電点に接続した状態から、前記第２のスイッチ装置によって前記２つの第２のアンテナ素子のうちの他方を給電点の他方に接続した状態に切り替える、アンテナ装置。
（８）
前記第１および第２のスイッチによるアンテナ素子の切替は、受信の指向性を変化させるようになされる、（７）に記載のアンテナ装置。
（９）
前記第１のアンテナ素子および前記第２のアンテナ素子はプリント回路基板上の導電体のパターンとして形成される、（７）又は（８）に記載のアンテナ装置。
【符号の説明】
【００４８】
１ａ〜１ｈ・・・アンテナ素子、２ａ〜２ｈ・・・無給電素子、３・・・給電点、４，５・・・スイッチ、６ａ〜６ｃ・・・アンテナ放射指向性
【図１】
2018123283.tif 000003
【図２】
2018123283.tif 000004
【図３】
2018123283.tif 000005
【図４】
2018123283.tif 000006
【図５】
2018123283.tif 000007
【図６】
2018123283.tif 000008
【図７】
2018123283.tif 000009
【図８】
2018123283.tif 000010
【国際調査報告】
2018123283.tif 000011
2018123283.tif 000012